(57)【要約】【課題】泡を無駄なく、手軽に洗顔することができる洗顔用ノズルヘッドを提供する。【解決手段】泡吐出ポンプ容器２の上部に接続され、泡吐出ポンプ容器２で生じる泡が通る流路１１を有するノズルヘッド本体１０と、ノズルヘッド本体１０に取り付けられる接続筒２３を有し、接続筒２３を介して流路１１に接続する皿状のブラシ保持部材２０と、ブラシ保持部材２０の表面を覆う状態に取り付けられるベース板部４１と、ベース板部４１の外側表面に形成される可撓性を有する複数の突起４２、４３とを有するブラシ部材４０とを備える。ブラシ部材４０のベース板部４１にブラシ保持部材２０の内部に連通する泡流出孔４５が複数形成される。【選択図】図２
2016101493.tif 000002
【特許請求の範囲】
【請求項１】
泡吐出ポンプ容器のピストン体に接続され、その泡吐出ポンプ容器で生じる泡が通る流路を有するノズルヘッド本体と、
そのノズルヘッド本体に取り付けられる接続筒を有し、その接続筒を介して前記流路に接続する皿状のブラシ保持部材と、
そのブラシ保持部材の表面を覆う状態に取り付けられるベース板部と、そのベース板部の前記ブラシ保持部材と反対側の表面に形成される可撓性を有する複数の突起とを有するブラシ部材とを備え、
前記ブラシ部材のベース板部に前記ブラシ保持部材の内部に連通する泡流出孔が複数形成される洗顔用ノズルヘッド。
【請求項２】
前記ブラシ保持部材内に嵌められ、その表面を覆う中間部材を備え、その中間部材は、前記ブラシ部材の泡流出孔に連通する貫通孔を有する請求項１に記載の洗顔用ノズルヘッド。
【請求項３】
前記ブラシ部材の複数の突起が柱状に形成され、その突起が前記ベース板部の泡流出孔を中心として、同心円上に間隔をおいて複数配置され、その同心円上に複数配置される一群の突起が、径方向に多重に配列される請求項１または２に記載の洗顔用ノズルヘッド。
【請求項４】
前記ブラシ部材は、そのベース板部の外周縁部の全周にわたって複数形成される板状突起を有し、その板状突起は、幅方向が前記ベース板部の周方向に沿い、前記板状突起の間隔が、その板状突起の幅寸法よりも小さくなるように配置される請求項１から３のいずれかに記載の洗顔用ノズルヘッド。
【請求項５】
前記ノズルヘッド本体に着脱可能に取り付けられ、前記ブラシ部材を覆うキャップ部材を備え、そのキャップ部材は、前記ノズルヘッド本体に着脱可能に取り付けられる固定片部と、その固定片部から上方に延びだす支持片部と、その支持片部に支持され、前記ブラシ部材を覆う状態で前記ブラシ保持部材に嵌め合わせられるキャップ部とを有し、
前記固定片部が前記ノズルヘッド本体に取り付けられた状態で、前記キャップ部が前記ブラシ保持部材に嵌め合わせられた状態となる請求項１から４のいずれかに記載の洗顔用ノズルヘッド。
【発明の詳細な説明】
【技術分野】
【０００１】
この発明は、泡を保持する状態で顔面の凹凸に沿って移動させて使用する洗顔用ノズルヘッドに関する。
【背景技術】
【０００２】
従来、化粧落とし等の洗顔の際、石鹸や洗顔料などをタオルや専用の泡立て具により泡立て、その泡を手ですくい、顔面に付着させるようにしていた。このような泡立ては面倒であることから、ノズルヘッドを押圧操作することで容器本体に収容された洗顔料を、そのノズルヘッドから泡状に吐出させる泡吐出ポンプ容器が使用されている。
【０００３】
この泡吐出ポンプ容器は、上部に取り付けられるノズルヘッドを押圧し、これを上下動させることで、容器本体内の洗顔料を吸い上げるとともに外部空気を混合するポンプ機構を有するものである。そして、ノズルヘッドの上下動により、容器本体内の洗顔料に外部空気を混合させてノズルヘッドから泡状に吐出させる。
【０００４】
このような泡吐出ポンプ容器の上部に取り付けられるノズルヘッドとしては、様々のものが提案されている（例えば、特許文献１参照）。
【先行技術文献】
【特許文献】
【０００５】
【特許文献１】特開平８−１３３３１８号公報
【発明の概要】
【発明が解決しようとする課題】
【０００６】
特許文献１に記載されたノズルヘッドは、洗顔の際、これを一方の手で押し下げて洗顔料の泡を吐出させ、他方の手で受け、その手で顔に泡を付着させる必要があり、面倒であった。
【０００７】
また、洗顔料の泡を他方の手で受けるようにしているので、洗顔に必要な泡の量が分かりにくく、一方の手で上記ノズルヘッドを何回も押し下げ、必要以上に泡を吐出させることがあった。
【０００８】
そこで、この発明の課題は、泡を無駄なく、手軽に洗顔することができる洗顔用ノズルヘッドを提供することにある。
【課題を解決するための手段】
【０００９】
前記課題を解決するために、この発明は、泡吐出ポンプ容器の上部に接続され、その泡吐出ポンプ容器で生じる泡が通る流路を有するノズルヘッド本体と、
そのノズルヘッド本体に取り付けられる接続筒を有し、その接続筒を介して前記流路に接続する皿状のブラシ保持部材と、
そのブラシ保持部材の表面を覆う状態に取り付けられるベース板部と、そのベース板部の前記ブラシ保持部材と反対側の表面に形成される可撓性を有する複数の突起とを有するブラシ部材とを備え、
前記ブラシ部材のベース板部に前記ブラシ保持部材の内部に連通する泡流出孔が複数形成される構成を採用することができる。
【００１０】
この構成によると、ノズルヘッド本体を押し下げると、泡吐出ポンプ容器で生じる泡がノズルヘッド本体の流路を通り、皿状のブラシ保持部材内に導かれる。ブラシ保持部材内の泡は、ベース板部の泡流出孔を通りベース板部の表面に流出し、ブラシ部材に保持される。
【００１１】
上記構成において、前記ブラシ保持部材内に嵌められ、その表面を覆う中間部材を備え、その中間部材は、前記ブラシ部材の泡流出孔に連通する貫通孔を有する構成を採用することができる。
【００１２】
この構成によると、ブラシ保持部材内に導かれる泡が、中間部材とブラシ保持部材とより形成される空間に溜り、中間部材の貫通孔からブラシ部材の泡流出孔に効果的に導かれる。
【００１３】
また、前記ブラシ部材の複数の突起が柱状に形成され、その突起が前記ベース板部の泡流出孔を中心として、同心円上に間隔をおいて複数配置され、その同心円上に複数配置される一群の突起が、径方向に多重に配列される構成を採用することができる。
【００１４】
この構成によると、上記の一群の柱状突起が、泡流出孔を囲うように配置されるため、泡流出孔から流出する泡は、隣り合う柱状突起の間から径方向外側へ移動し難くなる。
【００１５】
前記ブラシ部材は、そのベース板部の外周縁部の全周にわたって複数形成される板状突起を有し、その板状突起は、幅方向が前記ベース板部の周方向に沿い、前記板状突起の間隔が、その板状突起の幅寸法よりも小さくなるように配置される構成を採用することができる。
【００１６】
この構成では、泡流出孔から流出する泡は、隣り合う板状突起の間から外側へ移動し難くなるので、ブラシ部材から泡が垂れ落ち難くなる。
【発明の効果】
【００１７】
以上のように、この発明は、泡吐出ポンプ容器で生じる泡がブラシ部材に保持され、ブラシ部材を顔面に沿って撫でるように移動させることで、手軽に洗顔することができる。
【００１８】
また、適宜、洗顔中にノズルヘッド本体を押し下げて、洗顔に必要な泡の量を調整することが可能となるので、泡の無駄がなくなる。
【図面の簡単な説明】
【００１９】
【図１】この発明の第一実施形態に係る洗顔用ノズルヘッドの斜視図
【図２】同上の洗顔用ノズルヘッドの断面図
【図３】同上の洗顔用ノズルヘッドの分解斜視図
【図４】（ａ）同上のノズル本体の断面図、（ｂ）ノズル本体の平面図、（ｃ）ノズル本体の正面図、（ｄ）同上のノズル本体の底面図
【図５】（ａ）同上のブラシ保持部材の背面図、（ｂ）図５（ａ）のＡ−Ａ線における断面図、（ｃ）ブラシ保持部材の正面図
【図６】（ａ）同上の中間部材の背面図、（ｂ）図６（ａ）のＢ−Ｂ線における断面図、（ｃ）中間部材の正面図
【図７】（ａ）中間部材の他の形態を示す正面図、（ｂ）図７（ａ）のＣ−Ｃ線における断面図
【図８】（ａ）同上のブラシ部材の背面図、（ｂ）図８（ａ）のＤ−Ｄ線における断面図、（ｃ）ブラシ部材の正面図
【図９】同上のブラシ部材の要部拡大図
【図１０】同上の洗顔用ノズルヘッドの使用状態を示す図
【図１１】この発明の第二実施形態に係る洗顔用ノズルヘッドの斜視図
【図１２】同上の洗顔用ノズルヘッドの分解斜視図
【図１３】（ａ）同上のブラシ保持部材の背面図、（ｂ）図１３（ａ）のＥ−Ｅ線における断面図
【図１４】（ａ）同上の中間部材の背面図、（ｂ）図１４（ａ）のＦ−Ｆ線における断面図
【図１５】（ａ）同上の中間部材の他の形態を示す正面図
【図１６】（ａ）同上のブラシ部材の背面図、（ｂ）図１６（ａ）のＧ−Ｇ線における断面図、（ｃ）ブラシ部材の正面図
【図１７】洗顔用ノズルヘッドに取り付けるキャップ部材の斜視図
【図１８】（ａ）同上のキャップ部材の正面図、（ｂ）同上のキャップ部材の側面図、（ｃ）図１８（ｂ）中のＨ−Ｈ線における断面図
【図１９】同上の洗顔用ノズルヘッドにキャップ部材を取り付けた状態を示す断面図
【発明を実施するための形態】
【００２０】
以下、この発明の第一実施形態を添付図面に基づいて説明する。
この実施形態の洗顔用ノズルヘッド１は、図１〜３に示すように、泡吐出ポンプ容器２の上部に接続され、泡吐出ポンプ容器２で生じる泡が通る流路１１を有するノズルヘッド本体１０と、接続筒２３を介して流路１１に接続する皿状のブラシ保持部材２０と、ブラシ保持部材２０内に嵌められる中間部材３０と、ブラシ保持部材２０の表面を覆い可撓性を有する複数の柱状突起４２及び板状突起４３とを有するブラシ部材４０とを備える。
【００２１】
ノズルヘッド本体１０は、図４に示すように、上端部が閉塞する円筒状のケース１２と、ケース１２内に形成され、泡吐出ポンプ容器２の上部に接続される上下方向の内軸筒１３と、その外側に形成される外軸筒１４と、ケース１２の上方に形成され内軸筒１３に連通する円筒状のノズル１５とを備える。
【００２２】
ケース１２は、ノズル１５先端側からその反対側に向かって下向きに傾斜する上面部１２ａが形成される。上面部１２ａは、その表面から盛り上がる滑り止め１２ｂが形成される。滑り止め１２ｂは、例えば、ノズルヘッド本体１０を押し下げる際、指をかける位置を知らせるために、「押」の文字を形成してもよい。
【００２３】
内軸筒１３は、ケース１２と同軸状態に形成され、その上端が閉塞し、下端部がケース１２よりも下方に位置する。内軸筒１３の上部においてノズル１５と連通し、内軸筒１３及びノズル１５の内部に流路１１が形成される。（図４（ａ）参照）。
【００２４】
内軸筒１３の下端部に、メッシュ保持体１６が嵌められる。メッシュ保持体１６は、合成樹脂製の筒体からなり、両端面に張られたメッシュ１６ａを有する。メッシュ１６ａは、アクリル樹脂から形成され、ピストン体から出る泡よりも小さい網目のものであればよい。二度メッシュ１６ａを通過して、流路１１内に導かれた泡は、より細かくなる。
【００２５】
なお、メッシュ保持体１６は、ノズルヘッド本体１０の流路内に配置されていればよい。この実施形態のように、メッシュ保持体１６は、内軸筒１３の下端部に嵌め易いので、好ましい。
【００２６】
外軸筒１４は、ケース１２内にこれと同軸状態に形成され、その上端が閉塞する。また、外軸筒１４は、内軸筒１３と同軸状態に形成され、その下端部が内軸筒１３よりも下方に位置している。
【００２７】
ノズル１５は、円筒状に形成され、一端部が内軸筒１３の上部の外周部に接続し、他端部（先端部）へ向かって上向きに傾斜するように配置される。ノズル１５の一端側において、ノズル１５が内軸筒１３に連通する。
【００２８】
また、ノズル１５は、他端部の外周部にリブ１５ａが全周にわたって二箇所に形成され、他端部の外側に筒状のカバー部１５ｂを有する。カバー部１５ｂは、その上面部がケース１２の上面部１２ａに対して連続し、かつ同一平面上に位置するよう一体化している。また、カバー部１５ｂは、上部が断面矩形、下部が断面半円弧状に形成される（図４（ｃ）参照）。
【００２９】
ブラシ保持部材２０は、図５に示すように、皿状の保持体２２と、保持体２２の裏面中央に連結する接続筒２３とから形成される。保持体２２は、正面視円形であり、中央部分が凹んだに皿状に形成される。
【００３０】
保持体２２は、平面視円形の底板部２２ａと、底板部２２ａの表面外周縁から突出する筒状の連結部２２ｂと、連結部２２ｂの先端から外向きに広がる外周板部２２ｃとが一体に形成されている。
【００３１】
底板部２２ａは、中央に裏面側に接続筒２３が接続され、中央表面の接続筒２３の対応する位置に裏面側に向かって凹む段部２２ｄが形成される。また、底板部２２ａは、裏面側の接続筒２３の外周上側に、左右一対のＬ字状のガイド突起２２ｅ、２２ｅが形成される（図５（ａ）参照）。
【００３２】
ガイド突起２２ｅは、ブラシ保持部材２０の接続筒２３がノズルヘッド本体１０のノズル１５に対して上下方向に正しく接続するときに、カバー部１５ｂ内に上部に嵌り、誤接続を防止する。
【００３３】
接続筒２３がカバー部１５ｂに嵌ることで、その接続筒２３を介して、ノズルヘッド本体１０の流路１１にブラシ保持部材２０が接続される。
【００３４】
図６に示すように、中間部材３０は、円板から形成され、裏面側中央に円筒体を間隔をおいて四分割した分割体から構成される突起３１と、その外周部の上下端、左右端及び中央に一箇所づつ、計五箇所に形成される貫通孔３２とを有する。
【００３５】
突起３１は、その外径がブラシ保持部材２０の段部２２ｄの内径と同径であり、その内径がノズルヘッド本体１０のノズル１５の外径と同径である。このため、ブラシ保持部材２０の段部２２ｄに突起３１が嵌り、ノズル１５が突起３１内に嵌る。
【００３６】
ブラシ保持部材２０の段部２２ｄに突起３１が嵌る状態で、中間部材３０がブラシ保持部材２０の外周板部２２ｃ内に嵌る状態となる。
【００３７】
中間部材３０が嵌められると、中間部材３０とブラシ保持部材２０の保持体２２とにより形成される空間Ｓに泡を溜ることができ、貫通孔３２から泡をブラシ部材４０の泡流出孔４５に導くことができる（図２（ａ）参照）。
【００３８】
この実施形態において、ブラシ保持部材２０の外周板部２２ｃ内に、中間部材３０を嵌めずに、ブラシ部材４０を直接にブラシ保持部材２０の表面を覆うように取り付ける態様としてもよい。
【００３９】
また、この実施形態において、中間部材３０は、円板から形成されているが、他の変形例として、例えば、図７に示すように、円環状の枠体３３内にメッシュ３４を張り合わせたものとすることができる。メッシュ３４は、ブラシ保持部材２０の外周板部２２ｃ内に導かれる泡よりも小さい網目のものであればよい。この場合、メッシュ３４を通過した洗顔料の泡は、よりきめの細かくなる。
【００４０】
ブラシ部材４０は、図２に示すように、ブラシ保持部材２０の表面を覆うベース板部４１と、ベース板部４１のブラシ保持部材２０と反対側の表面に設けられる複数の柱状突起４２及び板状突起４３と、ベース板部４１の外周部に設けられるカバー部４４とを有する（図８（ａ）〜（ｃ）参照）。
【００４１】
ベース板部４１は、可撓性を有する合成樹脂製の円板から形成され、その外周部の上下端、左右端及び中央に一箇所づつ、計五箇所に泡流出孔４５が形成される。泡流出孔４５は、ベース板部４１に対して、中間部材３０のそれぞれの貫通孔３２に連通する位置に形成される。
【００４２】
すなわち、中間部材３０が保持体２２内に嵌められ、ブラシ保持部材２０にブラシ部材４０のベース板部４１が覆う状態で、泡流出孔４５が中間部材３０のそれぞれの貫通孔３２に連通する（図２参照）。
【００４３】
柱状突起４２は、断面円形をなし、図８（ｃ）に示すように、ベース板部４１の泡流出孔４５を中心として、同心円上に間隔をおいて複数配置される。同心円上に複数配置される一群の柱状突起４２は、径方向に多重に配列され、ベース板部４１の表面の全面に形成される。
【００４４】
上記のように、一群の柱状突起４２は、各群において、泡流出孔４５を囲うように配置されるため、泡流出孔４５から流出する泡は、隣り合う柱状突起４２の間から径方向外側へ移動し難くなり、泡流出孔４５を中心にして、ベース板部４１上で保持され得る。
【００４５】
板状突起４３は、ベース板部４１の外周縁部の全周にわたって複数配置され、その幅方向がベース板部４１の周方向に沿う状態となっている。図９に示すように、それぞれの板状突起４３の間隔Ｌは、板状突起４３の幅Ｗよりも小さく配置される。このため、泡流出孔４５から流出する泡は、隣り合う板状突起４３の間から外側へ移動し難くなり、ブラシ部材４０から泡が垂れ落ち難くなる。
【００４６】
カバー部４４は、ベース板部４１の外周縁部から、ベース板部４１の背面側の外周部を覆うように折り重ねて形成される。カバー部４４は、ベース板部４１の裏面側にブラシ保持部材２０の保持体２２を沿わせる状態で、保持体２２の外周板部２２ｃを覆う（図２参照）。
【００４７】
カバー部４４により、ブラシ部材４０がブラシ保持部材２０に保持される。カバー部４４の上部につまみ４６が形成され、つまみ４６をつまんでカバー部４４を引き上げて、ブラシ部材４０をブラシ保持部材２０から外すことができる。
【００４８】
ブラシ部材４０は、ベース板部４１、柱状突起４２、板状突起４３、カバー部４４及びつまみ４６が一体に成形されたものである。ブラシ部材４０の材質としては、可撓性を有する合成樹脂、例えば、医療用エラストマーとして使用されるシリコーンゴム、ネオプレン（登録商標）などのクロロプレンゴム等を適用することができる。
【００４９】
ブラシ部材４０は可撓性を有するため、柱状突起４２、板状突起４３が顔面に対する接触が柔らかくなる。また、ブラシ部材４０は、カバー部４４を介して、ブラシ保持部材２０に対して着脱可能に取り付けられる。
【００５０】
泡吐出ポンプ容器２は、公知のものが使用可能である。例えば、容器本体のキャップから上方に突出した軸筒状のピストン体が、容器本体の開口から容器内に向かって設けられる軸筒状のシリンダ体の内部で、バネにより上方に付勢された状態で上下動可能に取り付けられたものであって、このピストン体を上下動することにより、容器本体に収容される洗顔料が、シリンダ体の下端から吸い上げられ、ピストン体の内部を通って、空気の混合された泡状に吐出されるものが使用可能である。
【００５１】
このように構成される本実施形態の洗顔用ノズルヘッド１は、図１に示すように、泡吐出ポンプ容器２のピストン体（図示省略）の上部に接続される。
【００５２】
具体的には、洗顔用ノズルヘッド１のノズルヘッド本体１０の内軸筒１３と外軸筒１４の間に泡吐出ポンプ容器２のピストン体が差し込まれる。この状態で洗顔用ノズルヘッド１が使用可能となる。
【００５３】
使用可能となった洗顔用ノズルヘッド１は、泡吐出ポンプ容器２を手に持ち、ノズルヘッド本体１０のケース１２の上面部１２ａに指を掛ける。
【００５４】
この状態において、指でノズルヘッド本体１０を押し下げると、泡吐出ポンプ容器２のピストン体から洗顔料の泡が、内軸筒１３内の流路１１を経て、ノズル１５内に導かれる。そして、ノズル１５内に導かれた泡は、中間部材３０の突起３１内を通り、隣り合う突起３１の間から、中間部材３０とブラシ保持部材２０の保持体２２とにより形成される空間Ｓに溜る（図２参照）。
【００５５】
この空間Ｓ内に溜まった泡は、中間部材３０の貫通孔３２からブラシ部材４０の泡流出孔４５に導かれ、泡流出孔４５から泡が流出する。
【００５６】
ここで、泡流出孔４５を中心として、柱状突起４２が同心円上に間隔をおいて複数配置されており、同心円上に複数配置される一群の柱状突起４２が、径方向に多重に配列されている。
【００５７】
このため、泡流出孔４５から流出する泡αは、隣り合う柱状突起４２の間から外側へ移動し難くなり、泡流出孔４５を中心に、ベース板部４１上の柱状突起４２の間で保持される。
【００５８】
さらに、ノズルヘッド本体１０を複数回押し下げると、さらに多くの泡αが、泡流出孔４５から流出する。多く流出する泡αは、隣り合う板状突起４３の間から外側へ移動し難くいので、ブラシ部材４０に保持され、垂れ落ち難くなる。
【００５９】
図１０に示すように、泡αがブラシ部材４０に保持される状態で、泡吐出ポンプ容器２を手に持ち、ブラシ部材４０を顔面の凹凸に沿って撫でるように移動させて、洗顔する。このため、従来のように、泡を手に取って顔面に付けることなく手軽に洗顔することができる。
【００６０】
また、適宜、洗顔中にノズルヘッド本体１０を押し下げて、洗顔必要な泡αの量を調整することが可能となるので、泡の無駄がなくなる。
【００６１】
次にこの発明の第二実施形態に係る洗顔用ノズルヘッド１について、図１１〜１６に基づいて、説明する。この実施形態に係る洗顔用ノズルヘッド１は、図１１、１２に示すように、前記ブラシ保持部材２０、中間部材３０、及びブラシ部材４０が、正面視卵形、いわゆるオーバル形状である点が上述の第一実施形態と相違する。その他は、第一実施形態と同様であり、同一に考えられる構成に同符号を用いる。
【００６２】
この実施形態のブラシ保持部材２０は、図１２に示すように、保持体２２が平面視卵形に形成されたものであって、保持体２２は、上述の第一実施形態の場合と同様、中央部分が凹んだ皿状に形成されている（図１３（ａ）、（ｂ）参照）。
【００６３】
また、中間部材３０は、図１２に示すように、平面視卵形に形成され、その外周部の上下端及び左右端に一箇所づつ、計四箇所に形成される貫通孔３２を有する点で、上述の第一実施形態とは相違し、その他は、第一実施形態と同様である。
【００６４】
この実施形態においても、第一実施形態の場合と同様に、中間部材３０は、その変形例として、図１５に示すように、円環状の枠体３３内にメッシュ３４を張り合わせたものとすることができる。
【００６５】
ブラシ部材４０は、図１６に示すように、ベース板部４１が平面視卵形に形成されたものである。ベース板部４１は、その外周部の上下端及び左右端に一箇所づつ、計四箇所に形成される泡流出孔４５を有する点で、上述の第一実施形態とは相違し、その他は、第一実施形態と同様である。
【００６６】
このように構成される第二実施形態の洗顔用ノズルヘッド１は、図１１に示すように、泡吐出ポンプ容器２のピストン体（図示省略）の上部に接続される。この状態で、指でノズルヘッド本体１０を押し下げると、第一実施形態の場合と同様、泡吐出ポンプ容器２のピストン体から洗顔料の泡が、泡流出孔４５から泡が流出する。
【００６７】
この発明に係る洗顔用ノズルヘッド１においては、必要に応じて、ノズルヘッド本体１０に着脱可能に取り付けられ、ブラシ部材４０を覆うキャップ部材５０を備える。そのキャップ部材５０を図１７〜図１９に基づいて説明する。
【００６８】
キャップ部材５０は、ノズルヘッド本体１０の外軸筒１４の外周部に着脱可能に取り付けられる固定片部５１と、固定片部５１から上方に延び出す支持片部５２と、支持片部５２に支持され、ブラシ部材４０を覆う状態でブラシ保持部材２０に嵌め合わせられるキャップ部５３とを有する。
【００６９】
固定片部５１は、図１８（ｃ）に示すように、円筒体の一部を切り欠いた断面優弧状であり、周方向両端部が相互に接近または離間方向に弾性変形可能に形成される。固定片部５１は、その外周部に一対のつまみ片５１ａを有し、外軸筒１４の外径よりもわずかに小さい内径を有している。
【００７０】
一対のつまみ片５１ａは、平面視において（上方から見た場合において）、上記円筒体の切り欠き部分に対して直径方向反対側部分から向かい合う状態で延び出し、先端に向かって相互に離れるように湾曲している（図１８（ｃ）参照）。
【００７１】
固定片部５１は、一対のつまみ片５１ａを指でつまむと、周方向両端部が外軸筒１４の直径よりも大きく広がる状態となり、一対のつまみ片５１ａから指を離すと、周方向両端部の間隔が外軸筒１４の直径よりも狭い状態となる。
【００７２】
このため、固定片部５１は、一対のつまみ片５１ａを指でつまむことにより、外軸筒１４に差し込むことができる。外軸筒１４に差し込んだ固定片部５１は、一対のつまみ片５１ａから指を離すことにより、外軸筒１４の外周部に対して締め付ける状態で取り付けられる。
【００７３】
また、固定片部５１は、ノズルヘッド本体１０の外軸筒１４の外周部に取り付けられる状態でノズルヘッド本体１０の下方への移動を規制する。
【００７４】
支持片部５２は、固定片部５１に対して一対のつまみ片５１ａの間から、その固定片部５１から離れる方向に向かって上方に延びる縦板状をなしている。支持片部５２は、固定片部５１に対して反対側の縁部が円弧状であり、固定片部５１側の縁部にケース１２に対する受け板部５２ａを有する。受け板部５２ａは、断面劣弧状に形成され、ケース１２と同軸状となっている。
【００７５】
また、支持片部５２は、図１９に示すように、上縁端に形成される板状の上補強部５２ｂと、受け板部５２ａの下端から固定片部５１に向かって形成される板状の下補強部５２ｃとを有する。上補強部５２ｂ及び下補強部５２ｃは、支持片部５２に対して直角に配置される。
【００７６】
支持片部５２は、固定片部５１が外軸筒１４に嵌め合わされる状態で、受け板部５２ａがケース１２の外周部に沿って接触する。支持片部５２の上端において、固定片部５１に対して反対側にキャップ部５３が支持される。
【００７７】
キャップ部５３は、図１７に示すように、底面部５３ｂを有する円筒状の筒部５３ａからなる。筒部５３ａは、その最も低い部分が支持片部５２に連結支持される。筒部５３ａの軸心は、固定片部５１が外軸筒１４に嵌め合わされる状態で、ノズル１５の軸心に一致するように傾いた状態となる。底面部５３ｂには、貫通孔５３ｃが複数形成され、貫通孔５３ｃは、筒部５３ａの下方に沿って四箇所、上方に左右方向に並んで二箇所配置される。
【００７８】
キャップ部５３は、固定片部５１が外軸筒１４に嵌め合わされる状態で、筒部５３ａがブラシ保持部材２０に保持されたブラシ部材４０の外周部に嵌め合わせられ、底面部５３ｂがブラシ部材４０のベース板部４１に対向し、ベース板部４１を覆う状態となる。
【００７９】
固定片部５１、支持片部５２及びキャップ部５３の素材としては、公知の射出成型等の成型方法を適用可能な合成樹脂であればよく、例えば、ポリプロピレン樹脂、低密度ポリエチレン樹脂、高密度ポリエチレン樹脂、ポリアセタール樹脂などを使用することができる。
【００８０】
なお、キャップ部材５０は、キャップ部５３の筒部５３ａが円筒状をなしているが、上述の第二の実施形態に係る洗顔用ノズルヘッド１に適用する場合、キャップ部５３の筒部５３ａが、ブラシ保持部材２０に保持されたブラシ部材４０の外周部に嵌め合わせ可能な形状、いわゆるオーバル形状とすればよい。
【符号の説明】
【００８１】
１  洗顔用ノズルヘッド
２  泡吐出ポンプ容器
１０  ノズルヘッド本体
１１  流路
１２  ケース
１２ａ  上面部
１２ｂ  滑り止め
１３  内軸筒
１４  外軸筒
１５  ノズル
１５ａ  リブ
１５ｂ  カバー部
１６  メッシュ保持体
１６ａ  メッシュ
２０  ブラシ保持部材
２２  保持体
２２ａ  底板部
２２ｂ  連結部
２２ｃ  外周板部
２２ｄ  段部
２２ｅ  ガイド突起
２３  接続筒
３０  中間部材
３１  突起
３２  貫通孔
３３  枠体
３４  メッシュ
４０  ブラシ部材
４１  ベース板部
４２  柱状突起
４３  板状突起
４４  カバー部
４５  泡流出孔
４６  つまみ
５０  キャップ部材
５１  固定片部
５１ａ  つまみ片
５２  支持片部
５２ａ  受け板部
５２ｂ  上補強部
５２ｃ  下補強部
５３  キャップ部
５３ａ  筒部
５３ｂ  底面部
５３ｃ  貫通孔
Ｌ  間隔
Ｓ  空間
Ｗ  幅
【図１】
2016101493.tif 000003
【図２】
2016101493.tif 000004
【図３】
2016101493.tif 000005
【図４】
2016101493.tif 000006
【図５】
2016101493.tif 000007
【図６】
2016101493.tif 000008
【図７】
2016101493.tif 000009
【図８】
2016101493.tif 000010
【図９】
2016101493.tif 000011
【図１０】
2016101493.tif 000012
【図１１】
2016101493.tif 000013
【図１２】
2016101493.tif 000014
【図１３】
2016101493.tif 000015
【図１４】
2016101493.tif 000016
【図１５】
2016101493.tif 000017
【図１６】
2016101493.tif 000018
【図１７】
2016101493.tif 000019
【図１８】
2016101493.tif 000020
【図１９】
2016101493.tif 000021